(57)【要約】本発明は、スツールがその折り畳み形であるとき、そのスツールの側面がそのスツールの正面の間に隣接したままであるため、非常にコンパクトな折り畳み式スツールを提供する。前記スツールの折り畳みおよび展開は片手の動きで行われる。前記スツールはその水平面に窪み部を提供し、前記窪み部は折り畳まれたときに前記スツールを持って移動するための把持部として働く。前記水平面は、テクスチャー加工されているために滑り止めの特性を有する。前記スツールの支持要素、すなわち脚部は、リブを提供してそれらに高い機械的強度を付与し、同時に、非常に軽量であり、かつそれらの製造に使用される原料の量を低減する。【選択図】図１
2020534107.tif 000002
【特許請求の範囲】
【請求項１】
折り畳み式スツール（１）であって、
四辺形の、折り畳み式の平らな座面要素（３）と、
前記折り畳み式の平らな座面要素（３）の２つの平行な端部（７）から、前記折り畳み式の平らな座面要素（３）に本質的に垂直または略垂直に、それぞれが延在する、２つの折り畳み式の平らな支持要素（５）と、
前記折り畳み式の平らな座面要素（３）の２つの平行な端部（１１）から、前記折り畳み式の平らな座面要素（３）に本質的に垂直または略垂直に、それぞれが延在し、かつ前記折り畳み式の平らな支持要素（５）に垂直または略垂直である、２つの非折り畳み式の平らな支持要素（９）と、を含み、
前記折り畳み式の平らな座面要素（３）は、その複数の側面の１つに平行な軸（１３）上で折り畳み可能であり、
前記折り畳み式の平らな支持要素（５）は、前記折り畳み式の平らな座面要素（３）の折り畳み軸（１３）に垂直であり、かつ前記折り畳み式の平らな座面要素（３）の折り畳み軸（１３）と同一平面上にある垂直または略垂直な軸（１５）で折り畳み可能であり、
その折り畳み軸（１３）で前記折り畳み式の平らな座面要素（３）を折り畳むとき、前記折り畳み式の平らな支持要素（５）はそれらの折り畳み軸（１５）で折り畳まれ、前記非折り畳み式の平らな支持要素（９）は、互いに隣接しそして全ての平らな要素（３、５、９）が互いに平行となるまで互いに近づくため、平行な外面（１９）を伴って平らな折り畳まれたスツール（１’）を形成するように、それぞれ、前記折り畳み式の平らな支持要素（５）は、それらの端部で前記非折り畳み式の平らな支持要素（９）に可動式に接続され、かつ前記非折り畳み式の平らな支持要素は、前記折り畳み式の平らな座面要素（３）の２つの相対する端部に可動式に接続される、折り畳み式スツール（１）。
【請求項２】
前記非折り畳み式の平らな支持要素（９）は、前記スツールがその折り畳み形態にあるとき（１’）、前記折り畳み式の平らな支持要素（５）を収容するために、その内面に凹部または体積（２１）を画定する、請求項１に記載の折り畳み式スツール（１）。
【請求項３】
前記折り畳み式の平らな座面要素（３）は、２つの溝部（２３）を画定し、その折り畳み軸（１３）の各側面には１つの溝部があり、両方の溝部（２３）の間に残存する平らな要素の部分（２５）はハンドルまたは把持部の機能を備え、そこから引っ張るとき前記スツール（１）が折り畳まれるのを容易にし、かつ折り畳まれると、前記折り畳まれたスツール（１’）の輸送を容易にする、請求項１または２に記載の折り畳み式スツール（１）。
【請求項４】
前記平らな座面要素（３）は滑り止め作用のある外面（２７）を含む、請求項１〜３のいずれか一項に記載の折り畳み式スツール（１）。
【請求項５】
前記平らな支持要素（５、９）は、穴または空所（２９）を画定する、請求項１〜４のいずれか一項に記載の折り畳み式スツール（１）。
【請求項６】
前記平らな支持要素（５、９）および／または前記平らな座面要素（３）は、リブ（３３）で補強された薄壁要素（３１）を含む、請求項１〜５のいずれか一項に記載の折り畳み式スツール（１）。
【請求項７】
前記平らな支持要素（５、９）は、それらの下部に滑り止め材料（３５）を含む、請求項１〜６のいずれか一項に記載の折り畳み式スツール（１）。
【請求項８】
前記平らな支持要素（５、９）および／または前記平らな座面要素（３）は、ヒンジおよびピン（３７）を含む、請求項１〜７のいずれか一項に記載の折り畳み式スツール（１）。
【請求項９】
前記平らな座面要素（３）は、ヒンジおよびピン（３７）によって前記非折り畳み式の平らな支持要素（９）に接続される、請求項１〜８のいずれか一項に記載の折りたたみスツール（１）。
【請求項１０】
前記折り畳み式の平らな支持要素（５）および前記非折り畳み式の平らな支持要素（９）は、該平らな要素の内面に位置する一体型ヒンジによって接続される、請求項１〜９のいずれか一項に記載の折り畳み式スツール（１）。
【発明の詳細な説明】
【技術分野】
【０００１】
本発明は、家庭用または職場用の補助品または付属品の技術分野に属する。特に、本発明は、高い場所に到達するのを補助するために、腰掛けまたは一時的な支持体として機能するために、例えばピクニック、キャンプまたは釣りなどに行くときに、使用できるコンパクトな折り畳み式スツールを含む。本発明の折り畳み式スツール対象物は、多くの用途に使用でき、折り畳み式であることを考えると、任意の家庭、仕事場、または車両において便利な要素であり、保管または片付けが必要になると、非常に簡単に、片手の動きで、平らでコンパクトな形に折り畳むことができるため、これが占めるのは、非常に削減された平らな空間である。前記スツールの展開も同様に、片手の動きで行われる。
【背景技術】
【０００２】
折り畳み式のスツールは知られているが、時々それらの折り畳みが難しく、結果として、折り畳み要素の間に指を挟むことになる。既知の折り畳み式スツールのもう１つの欠点は、折り畳むと、不規則で非平行な表面になり、前記折り畳み式スツール上に他の物体を安全に安定した方式で置くことができないことである。
【発明の概要】
【０００３】
本発明の一態様は、以下、
四辺形の、折り畳み式の平らな座面要素と、
前記折り畳み式の平らな座面要素の２つの平行な端部から、前記折り畳み式の平らな座面要素に本質的に垂直または略垂直に、それぞれが延在する、２つの折り畳み式の平らな支持要素と、
前記折り畳み式の平らな座面要素の２つの平行な端部から、前記折り畳み式の平らな座面要素に本質的に垂直または略垂直に、それぞれが延在し、かつ前記折り畳み式の平らな支持要素に垂直または略垂直である、２つの非折り畳み式の平らな支持要素と、を含み、
前記折り畳み式の平らな座面要素は、その複数の側面の１つに平行な軸上で折り畳み可能であり、
前記折り畳み式の平らな支持要素は、前記折り畳み式の平らな座面要素の折り畳み軸に垂直であり、かつ前記折り畳み式の平らな座面要素の折り畳み軸と同一平面上にある垂直または略垂直な軸で折り畳み可能であり、
その折り畳み軸で前記折り畳み式の平らな座面要素を折り畳むとき、前記折り畳み式の平らな支持要素はそれらの折り畳み軸で折り畳まれ、前記非折り畳み式の平らな支持要素は、互いに隣接しそして全ての平らな要素が互いに平行となるまで互いに近づくため、平行な外面を伴って平らな折り畳まれたスツールを形成するように、それぞれ、前記折り畳み式の平らな支持要素は、それらの端部で前記非折り畳み式の平らな支持要素に可動式に接続され、かつ前記非折り畳み式の平らな支持要素は、前記折り畳み式の平らな座面要素の２つの相対する端部に可動式に接続される、
折り畳み式スツールを提供する。
【０００４】
上記のような折り畳み式スツールは、前記平らな座面要素を折り畳むとき、残りの要素が同時に折り畳まれて平らな折り畳み式スツールを形成するように接続されていることを考慮すると、１つの動きで簡単に折り畳むことができるという利点がある。その折り畳みにおけるこの単純さは、折り畳み式要素の間に指を挟む可能性を回避することを考えると、利点である。別の利点は、その折り畳まれた形態にある、スツールは、その全ての要素が互いに平行であり、かつ平らな形であるため、使用されていないときのその保管を以下の２つの理由により容易にすることである、ａ）折り畳まれることにより、それはより少ない空間しか占有せず、ｂ）平らになりその複数の要素を互いに平行にすることにより、他の重い物体を安定した耐久性のある方式で前記折り畳まれたスツール上に保管することができ、前記物体がアンバランスになって落ちたり、前記スツールが壊れたりする心配はなく、全ての要素を平行とすることによって前記折り畳み式スツールはそれ自体の上にバランスのとれたより大きな負荷を支えることができる。
【０００５】
必要に応じて、前記非折り畳み式の平らな支持要素は、前記スツールがその折り畳み形態にあるとき、前記折り畳み式の平らな支持要素を収容するために、その内面に凹部を画定する。このようにして、折り畳まれた前記スツールが占める体積はより小さくなり、よりコンパクトに折り畳まれたスツールが得られ、それはより少ない体積を占める。
【０００６】
必要に応じて、前記折り畳み式の平らな座面要素は、２つの溝部を画定し、その折り畳み軸の各側面には１つの溝部がある。両方の溝部の間に残存する平らな要素の部分はハンドルまたは把持部の機能を備え、そこから引っ張るとき前記スツールが折り畳まれるのを容易にし、かつ折り畳まれると、折り畳まれた前記スツールの輸送を容易にする。
【０００７】
必要に応じて、前記折り畳み式の平らな座面要素は滑り止め作用のある外面を含む。これにより、前記スツールを支持要素として使用する場合、または前記スツールの上に立って高い場所に到達する場合、座面の表面上で滑る可能性が低くなるため、より優れた安全性が達成される。前記滑り止め作用のある外面は、テクスチャー加工された表面、例えば、ネットもしくはダイヤモンド模様のレリーフを用いて、または平行レリーフなどを用いて、粗面化された表面を含んでいてもよい。前記滑り止め作用のある表面はまた、エラストマータイプの滑り止め要素、例えばゴムドット（ゴールキーパーのグローブに類似する）または、別の類似のまたは同等の構成を有するレリーフを含んでいてもよい。前記滑り止め作用のある表面は、テクスチャーとポリマー材料の組み合わせを含んでいてもよい。
【０００８】
必要に応じて、前記平らな支持要素は、機械的抵抗性を損なうことなく、穴または空所を画定する。このようにして、前記スツールの総重量とその製造に必要な材料は、その座面上で負荷に耐えるためのその機械的抵抗性を損なうことなく低減される。
【０００９】
必要に応じて、前記平らな支持要素および／または前記平らな座面要素は、複数のリブで補強された薄壁要素を含む。前記要素のこのタイプの構造により、その座面の負荷に耐えるためのその機械的特性を損なうことなく、スツール重量とその製造材料の重量を減らすことが可能になる。
【００１０】
必要に応じて、前記平らな支持要素は、それらの下部に滑り止め材料を含む。このようにして、その上に立っている人がいるときの前記スツールの不本意な滑りによる事故の可能性が低減される。滑り止め材料の例として、前記支持要素は、それらの下部にゴムパッドを含むことができる。
【００１１】
前記折り畳み式の平らな支持要素および／または前記折り畳み式の平らな座面要素は、好ましくは、それらの折り畳みを実行するために、ヒンジおよびピンを含む。
前記平らな座面要素は、好ましくは、ヒンジおよびピンによって前記非折り畳み式の平らな支持要素に接続される。
【００１２】
前記の平らな折り畳み式のおよび非折り畳み式の支持要素は、好ましくは、該平らな要素の内面側に位置する、一体型ヒンジによって接続される。このように、前記折り畳まれたスツールは、前記スツールが折り畳まれたときに前記一体型ヒンジが前記平らな支持要素から突出しないため、よりコンパクトで保管しやすくなる。一体型ヒンジを備える別の奨励点は、前記スツールがより審美的に様式化され洗練されることである。
【図面の簡単な説明】
【００１３】
【図１】図１は、本発明による折り畳み式スツールを、展開構成で示す。
【図２】図２は、図１の折り畳み式スツールを折り畳んだ構成で示す。
【発明を実施するための形態】
【００１４】
図の詳細な説明
図１は、四辺形の、折り畳み式の平らな座面要素（３）と、前記折り畳み式の平らな座面要素（３）の２つの平行な端部（７）から、前記折り畳み式の平らな座面要素（３）に本質的に垂直または略垂直に、それぞれが延在する、２つの折り畳み式の平らな支持要素（５）と、前記折り畳み式の平らな座面要素（３）の２つの平行な端部（１１）から、前記折り畳み式の平らな座面要素（３）に本質的に垂直または略垂直に、それぞれが延在し、かつ前記折り畳み式の平らな支持要素（５）に垂直または略垂直である、２つの非折り畳み式の平らな支持要素（９）と、を含む折り畳み式スツール（１）を示す。
前記折り畳み式の平らな座面要素（３）は、その複数の側面の１つに平行な軸（１３）上で折り畳み可能である。
【００１５】
前記折り畳み式の平らな支持要素（５）は、前記折り畳み式の平らな座面要素（３）の折り畳み軸（１３）に垂直であり、かつ前記折り畳み式の平らな座面要素（３）の折り畳み軸（１３）と同一平面上にある垂直または略垂直な軸（１５）で折り畳み可能である。
その折り畳み軸（１３）で前記折り畳み式の平らな座面要素（３）を折り畳むとき、前記折り畳み式の平らな支持要素（５）はそれらの折り畳み軸（１５）で折り畳まれ、前記非折り畳み式の平らな支持要素（９）は、互いに隣接しそして全ての平らな要素が互いに平行となるまで互いに近づくため、平行な外面（１９）を伴って平らな折り畳まれたスツール（１’）を形成するように、それぞれ、前記折り畳み式の平らな支持要素（５）は、それらの端部で前記非折り畳み式の平らな支持要素（９）に一体型ヒンジを用いて接続され、かつ前記非折り畳み式の平らな支持要素（９）は、前記折り畳み式の平らな座面要素（３）の２つの相対する端部（１１）にヒンジ（１７）を用いて接続される（図２を参照）。
【００１６】
前記非折り畳み式の平らな支持要素（９）は、前記スツールがその折り畳み形態にあるとき、前記折り畳み式の平らな支持要素（５）を収容するために、その内面に凹部（２１）を画定する。
前記折り畳み式の平らな座面要素（３）は、２つの溝部（２３）を画定し、その折り畳み軸（１３）の各側面には１つの溝部がある。両方の溝部（２３）の間に残存する平らな要素の部分（２５）はハンドルまたは把持部の機能を備え、そこから引っ張るとき前記スツール（１）が折り畳まれるのを容易にし、かつ折り畳まれたら、前記スツール（１’）の輸送を容易にする。
前記折り畳み式の平らな座面要素（３）は、セルのネットワークのレリーフでテクスチャー加工された滑り止め作用のある外面（２７）を含む。
【００１７】
前記平らな支持要素（５、９）は、それらの機械的抵抗性を損なうことなく、穴または空所（２９）を画定する。このようにして、前記スツールの総重量とその製造に必要な材料は、その座面上で負荷に耐えるためのその機械的抵抗性を損なうことなく低減される。
前記平らな支持要素（５、９）および／または前記平らな座面要素（３）は、ハニカムパターンの複数のリブ（３３）で補強された薄壁要素（３１）を含む。
前記平らな支持要素（５、９）は、滑り止め材料としてそれらの下部にゴムパッド（３５）を含む。
【００１８】
前記折り畳み式の平らな支持要素（５）および／または前記平らな座面要素（３）は、好ましくは、それらの折り畳みを行うために、ヒンジおよびピン（３７）を含む。
前記平らな座面要素（３）は、好ましくは、ヒンジおよびピン（３７）によって２つの非折り畳み式の平らな支持要素（９）に接続される。
前記折り畳み式の平らな支持要素（５）および前記非折り畳み式の平らな支持要素（９）は、好ましくは、該平らな要素（５、９）の内面に位置する、一体型ヒンジによって接続される。
【００１９】
この場合、この折り畳み式スツールの全ての要素は、耐衝撃性ポリスチレンの射出成形によって製造されているが、他の熱可塑性プラスチック、さらには他の材料および製造方法も実行可能である。
【図１】
2020534107.tif 000003
【図２】
2020534107.tif 000004
【国際調査報告】
2020534107.tif 000005
2020534107.tif 000006
2020534107.tif 000007
2020534107.tif 000008